(57)【要約】【課題】建物内を，大気の熱的影響が大きいペリメータゾーン２と，大気の熱的影響が小さいインテリアゾーン３とに分けて空調するようにした空調システムを提供する。【解決手段】蒸発式の第１空調装置７と蒸発式の第２の空調装置８を備え，前記第１空調装置７において減圧の状態でフラッシュ蒸発した蒸発性液体を第１空調用循環管路１７にて前記インテリアゾーン３に設置した第１空調用熱交換器４に送って前記インテリアゾーン３を冷房に空調する一方，前記第２空調装置８において減圧の状態でフラッシュ蒸発及び蒸気の凝縮した蒸発性液体を第２空調用循環管路２５にて前記ペリメータゾーン２に設置した第２空調用熱交換器６に送って前記ペリメータゾーン２を冷房及び暖房に空調する。【選択図】  図１
2010043797.tif 000002
【特許請求の範囲】
【請求項１】
大気圧以下の減圧に保持した二つの容器を有する第１空調装置と，同じく大気圧以下の減圧に保持した二つの容器を有する第２空調装置と，建物の室内との間で熱交換を行う第１空調用熱交換器及び第２空調用熱交換器と，大気との間で熱交換を行う一つの放吸熱用熱交換器を備えており，
前記第１空調装置は，その一方の容器内における蒸発性液体を前記第１空調用熱交換器との間で循環させる第１空調用循環管路を備えているとともに，その両容器の相互間を接続する蒸気ダクトを備え，この蒸気ダクトには，一方の容器から他方の容器への方向に蒸気圧縮を行う蒸気圧縮機が設けられており，
前記第２空調装置は，その一方の容器内における蒸発性液体を前記第２空調用熱交換器との間で循環させる第２空調用循環管路を備えているとともに，その両容器の相互間を接続する蒸気ダクトを備え，この蒸気ダクトには，正逆回転式の蒸気圧縮機が設けられ，この蒸気圧縮機は，大気温度が高いとき一方の容器から他方の容器への方向に蒸気圧縮を行うように正回転され，大気温度が低いとき他方の容器から一方の容器への方向に蒸気圧縮を行うように逆回転される構成になっており，
前記第１空調装置における他方の容器内の蒸発性液体及び前記第２空調装置における他方の容器内の蒸発性液体は，前記一つの放吸熱用熱交換器との間を循環するように構成されており，
更に，前記第１空調用熱交換器は，建物内のうち大気の熱的影響が少ない部分に形成されているインテリアゾーンに配設され，前記第２空調用熱交換器は，建物内のうち大気の熱的影響が大きい部分に形成されているペリメータゾーンに配設されていることを特徴とする空調システム。
【請求項２】
前記請求項１の記載において，前記第１空調装置の第１空調用循環管路には，前記インテリアゾーンに配設されている発熱機器における液体冷却手段が，前記第１空調用熱交換器と並列に接続されていることを特徴とする空調システム。
【請求項３】
前記請求項１又は２の記載において，前記第１空調装置の蒸気ダクトには，その蒸気圧縮機に対するバイパス弁が設けられ，大気温度が高いとき前記バイパス弁を閉じて前記蒸気圧縮機を駆動しているが，大気温度が低いとき前記バイパス弁を開いて前記蒸気圧縮機を駆動停止するように構成されていることを特徴とする空調システム。
【発明の詳細な説明】
【技術分野】
【０００１】
本発明は，水等のような蒸発性を有する液体，つまり，蒸発性液体における蒸発及び凝縮を利用して，建物の内部を，大気の熱的影響が少ないインテリアゾーンと大気の熱的影響が大きいペリメータゾーンとに分けて空調するように構成した空調システムに関するものである。
【背景技術】
【０００２】
先行技術としての特許文献１には，
「大気圧以下の減圧に保持した二つの容器と，空調箇所に設置した空調用熱交換器と，放吸熱用熱交換器とを備え，更に，蒸発性液体を前記両容器のうち一方の容器と前記空調用熱交換器との間を循環する空調用循環管路と，蒸発性液体を前記両容器のうち他方の容器と前記放吸熱用熱交換器との間を循環する放吸熱用循環管路を備え，前記一方の容器における蒸気を前記他方の容器への方向に圧縮する蒸気圧縮機を設けて成る構成の蒸発式空調装置。」
が記載されている。
【０００３】
この先行技術の蒸発式空調装置によると，空調箇所に設置した空調用熱交換器における熱交換にて温度が高くなった蒸発性液体は，前記空調用熱交換器から一方の容器内に戻ってフラッシュ蒸発することで温度が下がって前記空調用熱交換器に再び送られるという循環を繰り返すことにより，前記空調箇所を，その室内温度を前記一方の容器における温度に近づけるように空調することができる。
【０００４】
一方，最近のオフィスビル等の建物においては，その内部を，インテリアゾーンと，ペリメータゾーンとに分けて，これらを別々に空調することが行われている。
【０００５】
この場合，前記インテリアゾーンは，一般的にいって建物の中心等のように，建物における外壁又は外窓から離れた部分に形成されていることにより，大気の熱的影響が少ないが，その反面，オフィス作業者が常駐していることに加えて，各種のオフィス機器又は照明機器等の発熱機器が設置されていることにより，オフィス作業者及びオフィス機器から受ける熱的影響は大きい。
【０００６】
一方，前記ペリメータゾーンは，建物における外壁又は外窓に接して形成されていることにより，大気の熱的影響を大きく受けることになる。
【０００７】
そこで，前記先行技術の空調装置における空調用熱交換器を，前記インテリアゾーンに設置することにより，前記インテリアゾーンを，その室内温度が四季を通して所望の室内温度になるように空調することができる。
【０００８】
また，前記インテリアゾーンに設置されている各種のオフィス機器又は照明器具等の発熱機器を，前記先行技術の空調装置における一方の容器からの蒸発性液体により冷却することができる。
【特許文献１】特開２００６−９７９８９号公報
【発明の開示】
【発明が解決しようとする課題】
【０００９】
しかし，前記先行技術の蒸発式空調装置においては，その空調用熱交換器を，前記ペリメータゾーンに設置した場合，大気温度が所望の室内温度よりも高くなる夏期等の季節においては，前記ペリメータゾーンを，所望の室内温度とするように冷房に空調することができるが，大気温度が所望の室内温度よりも低くなる冬季等の季節においては，前記ペリメータゾーンを，所望の室内温度とするように暖房に空調することができないという問題があった。
【００１０】
本発明は，前記インテリアゾーン及びペリメータゾーンの両方を，前記蒸発式の空調装置を用いて，高いエネルギー効率のもとで的確に空調できるようにした空調システムを提供することを技術的課題とする。
【課題を解決するための手段】
【００１１】
この技術的課題を達成するため本発明の請求項１は，
「大気圧以下の減圧に保持した二つの容器を有する第１空調装置と，同じく大気圧以下の減圧に保持した二つの容器を有する第２空調装置と，建物の室内との間で熱交換を行う第１空調用熱交換器及び第２空調用熱交換器と，大気との間で熱交換を行う一つの放吸熱用熱交換器を備えており，
前記第１空調装置は，その一方の容器内における蒸発性液体を前記第１空調用熱交換器との間で循環させる第１空調用循環管路を備えているとともに，その両容器の相互間を接続する蒸気ダクトを備え，この蒸気ダクトには，一方の容器から他方の容器への方向に蒸気圧縮を行う蒸気圧縮機が設けられており，
前記第２空調装置は，その一方の容器内における蒸発性液体を前記第２空調用熱交換器との間で循環させる第２空調用循環管路を備えているとともに，その両容器の相互間を接続する蒸気ダクトを備え，この蒸気ダクトには，正逆回転式の蒸気圧縮機が設けられ，この蒸気圧縮機は，大気温度が高いとき一方の容器から他方の容器への方向に蒸気圧縮を行うように正回転され，大気温度が低いとき他方の容器から一方の容器への方向に蒸気圧縮を行うように逆回転される構成になっており，
前記第１空調装置における他方の容器内の蒸発性液体及び前記第２空調装置における他方の容器内の蒸発性液体は，前記一つの放吸熱用熱交換器との間を循環するように構成されており，
更に，前記第１空調用熱交換器は，建物内のうち大気の熱的影響が少ない部分に形成されているインテリアゾーンに配設され，前記第２空調用熱交換器は，建物内のうち大気の熱的影響が大きい部分に形成されているペリメータゾーンに配設されている。」
ことを特徴としている。
【００１２】
また，請求項２は，
「前記請求項１の記載において，前記第１空調装置の第１空調用循環管路には，前記インテリアゾーンに配設されている発熱機器における液体冷却手段が，前記第１空調用熱交換器と並列に接続されている。」
ことを特徴としている。
【００１３】
更にまた，請求項３は，
「前記請求項１又は２の記載において，前記第１空調装置の蒸気ダクトには，その蒸気圧縮機に対するバイパス弁が設けられ，大気温度が高いとき前記バイパス弁を閉じて前記蒸気圧縮機を駆動しているが，大気温度が低いとき前記バイパス弁を開いて前記蒸気圧縮機を駆動停止するように構成されている。」
ことを特徴としている。
【００１４】
前記請求項２における「発熱機器」には，コンピュータ，そのサーバー又は複写機等のような各種のオフィス機器及び照明器具が含まれるほか，その他の発熱を伴う機器が含まれる。
【発明の効果】
【００１５】
請求項１の記載において，前記第１空調装置においては，大気温度がインテリアゾーンにおいて要求される所望温度（以下，単にインテリアゾーンの所望温度と称する）よりも高いとき及び低いときのいずれの場合でも，その両容器のうち一方の容器における蒸発性液体は，フラッシュ蒸発にて所定温度に冷却されたのちインテリアゾーンに設置した第１空調用熱交換器に送られ，ここでインテリアゾーンにおける室内空気と熱交換して温度が高くなったのち再び前記一方の容器に戻ってフラッシュ蒸発することを繰り返す一方，前記一方の容器でのフラッシュ蒸発にて発生した蒸気は蒸気圧縮機にて圧縮されたのち他方の容器に至り，この他方の容器において，当該他方の容器と放吸熱用熱交換器との間を循環する蒸発性液体にて凝縮され，この蒸気を凝縮した蒸発性液体は，前記放吸熱用熱交換器における大気との熱交換にて放熱される。
【００１６】
これにより，前記インテリアゾーンを，四季にかかわらず，年間を通して，その所望温度に維持するように冷房に空調することができる。
【００１７】
一方，前記第２空調装置においては，大気温度がペリメータゾーンにおいて要求される所望温度（以下，単にペリメータゾーンの所望温度と称する）よりも高いときには，その正逆回転式の蒸気圧縮機が一方の容器から他方の容器への方向に蒸気圧縮を行うように正回転されることにより，その両容器のうち一方の容器における蒸発性液体が，フラッシュ蒸発にて所定温度に冷却されたのちペリメータゾーンに設置した第２空調用熱交換器に送られ，ここでペリメータゾーンにおける室内空気と熱交換して温度が高くなったのち再び前記一方の容器に戻ってフラッシュ蒸発することを繰り返す一方，前記一方の容器でのフラッシュ蒸発にて発生した蒸気は前記蒸気圧縮機にて圧縮されたのち他方の容器に至り，この他方の容器において，当該他方の容器と放吸熱用熱交換器との間を循環する蒸発性液体にて凝縮され，この蒸気を凝縮した蒸発性液体は，前記放吸熱用熱交換器における大気との熱交換にて放熱されるから，前記ペリメータゾーンを，その所望温度に冷房するように空調できる。
【００１８】
前記第２空調装置においては，大気温度がペリメータゾーンの所望温度よりも低いときには，その正逆回転式の蒸気圧縮機が他方の容器から一方の容器への方向に蒸気圧縮を行うように逆正回転されることにより，その両容器のうち他方の容器における蒸発性液体が，フラッシュ蒸発にて冷却されたのち放吸熱用熱交換器に送られて，ここで大気空気との熱交換で吸熱して温度が高くなって再び前記他方の容器に戻ってフラッシュ蒸発することを繰り返す一方，前記他方の容器でのフラッシュ蒸発にて発生した蒸気は，前記蒸気圧縮機にて圧縮されたのち一方の容器に至り，この一方の容器において，当該一方の容器と前記ペリメータゾーンにおける第２空調用熱交換器との間を循環する蒸発性液体を暖めるから，前記ペリメータゾーンを，その所望温度に暖房するように空調できる。
【００１９】
この場合において，前記第１空調装置における他方の容器内の蒸発性液体及び前記第２空調装置における他方の容器内の蒸発性液体は，前記一つの放吸熱用熱交換器との間を循環するように構成されていることにより，前記第２空調装置による前記ペリメータゾーンにおける暖房空調の際に，この第２空調装置における他方の容器と放吸熱用熱交換器との間を循環する蒸発性液体には，前記インテリアゾーンの冷房空調に際して，前記第１空調装置における他方の容器での蒸気の凝縮にて温度が高くなった蒸発性液体が混合することになるから，その温度が，前記第１空調装置の他方の容器において蒸気の凝縮が行われる分だけ上昇し，この温度上昇した蒸発性液体が前記第２空調装置における他方の容器に送られ，この他方の容器でのフラッシュ蒸発が促進されることになる。
【００２０】
これにより，前記インテリアゾーンにおける冷房空調の際に放出される熱を，前記ペリメータゾーンにおける暖房空調の際の熱源として熱回収することができるから，全体のエネルギー効率を向上できる。
【００２１】
しかも，前記一つの放吸熱用熱交換器を，第１空調装置及び第２空調装置の両方について共用するから，この両空調装置における放吸熱用熱交換器を別々に構成する場合に比べて，全体の小型化と，低価格化を達成できる。
【００２２】
次に，請求項２によると，前記した効果に加えて，前記インテリアゾーンにおける冷房空調と一緒に，このインテリアゾーンに設置されている各種のオフィス機器及び／又は照明器具等の発熱機器を確実に冷却することができる。
【００２３】
また，請求項３によると，大気温度がインテリアゾーンの所望温度よりも低いときには，第１空調装置におけるバイパス弁を開くことで，前記インテリアゾーンにおける冷房空調を確保したままで，前記第１空調装置における蒸気圧縮機を駆動停止するから，前記インテリアゾーンにおける空調を継続した状態で，更なるエネルギー効率を向上を達成できる。
【発明を実施するための最良の形態】
【００２４】
以下，本発明の実施の形態を図面について説明する。
【００２５】
図１は，第１の実施の形態を示す。
【００２６】
この図において，符号１は，オフィスビルを示し，このオフィスビル１における一つの階層は，外壁又は外窓に接する部分等のように大気の熱的影響が大きい部分におけるペリメータゾーン２と，外壁又は外窓から離れる等のように大気の熱的影響が小さい部分におけるインテリアゾーン３とに区画されている。
【００２７】
前記インテリアゾーン３には，空調用熱交換器（第１空調用熱交換器）４が，天井等の適宜箇所に設置されているほか，液体冷却式に構成したコンピュータ，そのサーバー又は複写機等のような各種のオフィス機器５の複数個が床面に設置されており，更に，前記インテリアゾーン３には，ＬＥＤランプ等を使用した照明器具４５が，天井面に設置されている。
【００２８】
前記各オフィス機器５の各々には，冷却水ジャケット又は冷却水通路等の液体冷却手段５ａが設けられている一方，前記照明器具４５にも，冷却水ジャケット又は冷却水通路等の液体冷却手段４５ａが設けられている。
【００２９】
前記ペリメータゾーン２には，空調用熱交換器（第２空調用熱交換器）６が，天井等の適宜箇所に設置されている。
【００３０】
一方，前記オフィスビル１における同じ階層又は一階下の階層等の適宜箇所には，密閉構造にした二つの容器７ａ，７ｂを有する第１空調装置７と，同じく密閉構造にした二つの容器８ａ，８ｂを有する第２空調装置８とが配設されている。
【００３１】
前記第１空調装置７における両容器７ａ，７ｂは，そのうちいずれか一方又は両方に接続した真空ポンプ９等の真空発生手段にて大気圧より低い減圧に維持されている。
【００３２】
また，前記第２空調装置８における両容器８ａ，８ｂは，そのうちいずれか一方又は両方に接続した真空ポンプ１０等の真空発生手段にて大気圧より低い減圧に維持されている。
【００３３】
なお，前記第１空調装置７における両容器７ａ，７ｂ及び前記第２空調装置８における両容器８ａ，８ｂを，一つの真空発生手段にて大気圧より低い減圧に維持するように構成して良い。
【００３４】
前記第１空調装置７における一方の容器７ａ内に入れた水等の蒸発性液体は，当該一方の容器７ａからの出口管路１１を介して空調用一次循環ポンプ１２にて汲み出され，次いで，供給循環管路１３を介して前記空調用熱交換器４への入口側における空調用二次循環ポンプ１４に送られ，この空調用二次循環ポンプ１４にて前記インテリアゾーン３における空調用熱交換器４に供給される。
【００３５】
そして，前記空調用熱交換器４における出口から排出される蒸発性液体は，戻り循環管路１５を介して，再び前記一方の容器７ａ内の上部にノズル１６から噴出するように戻るという循環を行うように構成されている。
【００３６】
つまり，前記出口管路１１，供給循環管路１３及び戻り循環管路１５等により，前記一方の容器７ａ内における蒸発性液体を前記空調用熱交換器（第１空調用熱交換器）４との間で循環するようにした第１空調用循環管路１７を構成している。
【００３７】
また，前記第１空調用循環管路１７のうち供給循環管路１３と戻り循環管路１５との間には，前記インテリアゾーン３の床面に設置した前記各オフィス機器５の液体冷却手段５ａ及びその入口側の冷却用二次循環ポンプ１８が，前記空調用熱交換器（第１空調用熱交換器）４とその二次循環ポンプ１４に対して並列に接続されている。
【００３８】
更にまた，前記第１空調用循環管路１７のうち供給循環管路１３と戻り循環管路１５との間には，前記インテリアゾーン３の天井面に設置した前記照明器具４５の液体冷却手段５ａ及びその入口側の冷却用二次循環ポンプ４６が，前記空調用熱交換器（第１空調用熱交換器）４とその二次循環ポンプ１４，及び，前記各オフィス機器５とその冷却用二次循環ポンプ１８に対して並列に接続されている。
【００３９】
なお，別の実施の形態においては，図１に二点鎖線で示すように，前記ペリメータゾーン２にも，液体冷却式に構成したコンピュータ等のオフィス機器５′を設置して，このオフィス機器５′における液体冷却手段５ａ′を，前記第１空調用循環管路１７のうち供給循環管路１３と戻り循環管路１５との間に，前記空調用熱交換器（第１空調用熱交換器）４とその空調用二次循環ポンプ１４に対して並列に接続するという構成にすることができる。
【００４０】
一方，前記第２空調装置８における一方の容器８ａ内に入れた水等の蒸発性液体は，当該一方の容器８ａからの出口管路１９を介して空調用一次循環ポンプ２０にて汲み出され，次いで，供給循環管路２１を介して前記ペリメータゾーン２における空調用熱交換器６への入口側における空調用二次循環ポンプ２２に送られ，この空調用二次循環ポンプ２２にて前記空調用熱交換器（第２空調用熱交換器）６に供給される。
【００４１】
そして，前記空調用熱交換器６における出口から排出される蒸発性液体は，戻り循環管路２３を介して，再び前記一方の容器８ａ内の上部にノズル２４から噴出するように戻るという循環を行うように構成されている。
【００４２】
つまり，前記出口管路１９，供給循環管路２１及び戻り循環管路２３等により，前記一方の容器８ａ内における蒸発性液体を前記空調用熱交換器（第２空調用熱交換器）６との間で循環するようにした第２空調用循環管路２５を構成している。
【００４３】
前記オフィスビル１の外側には，フアン２７による強制通風に構成した通風塔２６が設置され，この通風塔２６の内部には，大気との間で熱交換を行うようにした一つの放吸熱用熱交換器２８が設けられている。
【００４４】
前記第１空調装置７における他方の容器７ｂに入れた水等の蒸発性液体は，放吸熱用循環ポンプ２９を備えた第１放吸熱用循環管路３０を介して前記放吸熱用熱交換器２８に送られ，この放吸熱用熱交換器２８から再び，前記他方の容器７ｂ内の上部にノズル３１から噴出するように戻るという循環を行うように構成されている。
【００４５】
これに加えて，前記第２空調装置８における他方の容器８ｂに入れた水等の蒸発性液体も，放吸熱用循環ポンプ３２を備えた第２放吸熱用循環管路３３を介して前記放吸熱用熱交換器２８に送られ，この放吸熱用熱交換器２８から再び前記他方の容器８ｂ内の上部にノズル３４から噴出するように戻るという循環を行うように構成されている。
【００４６】
なお，前記通風塔２６においては，その底に溜まる水等の蒸発性液体を，ポンプ３５にて汲み出したのちノズル３６にて前記放吸熱用熱交換器２８における外側面に散布することにより，前記放吸熱用熱交換器２８における大気との熱交換を促進するように構成している。
【００４７】
前記第１空調装置７における両容器７ａ，７ｂの相互間は，その各々における水等の蒸発性液体が互いに往来するように，底部における連通路３７を介して接続されており，また，前記第２空調装置８における両容器８ａ，８ｂの相互間も，同様に，その各々における水等の蒸発性液体が互いに往来するように，底部における連通路３８を介して接続されている。
【００４８】
前記第１空調装置７における一方の容器７ａの上部と他方の容器７ｂの上部の間は，蒸気ダクト３９を介して接続され，この蒸気ダクト３９の途中には，ルーツ式圧縮機等の蒸気圧縮機４０が設けられ，この蒸気圧縮機４０は，前記一方の容器７ａにおける蒸気を他方の容器７ｂの方向に圧縮するように回転駆動されている。
【００４９】
また，前記第２空調装置８における一方の容器８ａの上部と他方の容器８ｂの上部の間は，蒸気ダクト４１を介して接続され，この蒸気ダクト４１の途中には，正逆回転可能に構成したルーツ式圧縮機等の蒸気圧縮機４２が設けられ，この蒸気圧縮機４２は，大気温度が前記ペリメータゾーン２の所望温度よりも高いときには，一方の容器８ａから他方の容器８ｂへの方向に蒸気圧縮を行うように正回転されているが，大気温度が前記ペリメータゾーン２の所望温度よりも低いときには，他方の容器８ｂから一方の容器８ａへの方向に蒸気圧縮を行うように逆回転されるという構成になっている。
【００５０】
前記第１空調装置７においては，大気温度が前記インテリアゾーン３の所望温度よりも高いとき及び低いときのいずれの場合でも，その両容器７ａ，７ｂのうち一方の容器７ａにおける蒸発性液体は，フラッシュ蒸発にて所定温度に冷却されたのちインテリアゾーン３に設置した第１空調用熱交換器４に送られ，ここでインテリアゾーン３における室内空気と熱交換して温度が高くなったのち再び前記一方の容器７ａに戻ってフラッシュ蒸発することを繰り返す一方，前記一方の容器７ａでのフラッシュ蒸発にて発生した蒸気は蒸気圧縮機４０にて圧縮されたのち他方の容器７ｂに至り，この他方の容器７ｂにおいて，当該他方の容器７ｂと放吸熱用熱交換器２８との間を循環する蒸発性液体にて凝縮され，この蒸気を凝縮した蒸発性液体は，前記放吸熱用熱交換器２８における大気との熱交換にて放熱される。
【００５１】
これにより，前記インテリアゾーン３を，四季にかかわらず，年間を通してその所望温度に維持するように冷房に空調することができる。
【００５２】
しかも，前記第１空調装置７の一方の容器７ａにおいて冷却された蒸発性液体は，前記インテリアゾーン３の第１空調用熱交換器４に送られると同時に，前記インテリアゾーン３に設置した各オフィス機器５における液体冷却手段５ａ，及び照明器具４５における液体冷却手段４５ａ，並びに前記ペリメータゾーン２に設置したオフィス機器５′における液体冷却手段５ａ′にも送られることになるから，これら各オフィス機器５，５′及び照明器具４５を同時に冷却することができる。
【００５３】
前記照明器具４５を冷却するに際して，この照明器具４５が，ＬＥＤランプを使用したものである場合には，前記した冷却によって，前記ＬＥＤランプにおける耐久性及び発光性能の向上を図ることができる。
【００５４】
また，前記第１空調装置７における蒸気圧縮機４０は，大気温度がインテリアゾーン３の所望温度に近づくように下がること，及び，空調負荷が下がることに追従して，その回転数をインバータにより次第に減速するという構成にされており，これにより省エネルギーが図られる。
【００５５】
一方，前記第２空調装置８においては，夏期等において大気温度が前記ペリメータゾーン２の所望温度よりも高いときには，その正逆回転式の蒸気圧縮機４２が一方の容器８ａから他方の容器８ｂへの方向に蒸気圧縮を行うように正回転される。
【００５６】
これにより，前記第２空調装置８における両容器８ａ，８ｂのうち一方の容器８ａにおける蒸発性液体は，フラッシュ蒸発にて所定温度に冷却されたのちペリメータゾーン２に設置した第２空調用熱交換器６に送られ，ここでペリメータゾーン２における室内空気と熱交換して温度が高くなったのち再び前記一方の容器８ａに戻ってフラッシュ蒸発することを繰り返す一方，前記一方の容器８ａでのフラッシュ蒸発にて発生した蒸気は前記蒸気圧縮機４２にて圧縮されたのち他方の容器８ｂに至り，この他方の容器８ｂにおいて，当該他方の容器８ｂ内と放吸熱用熱交換器２８との間を循環する蒸発性液体にて凝縮され，この蒸気を凝縮した蒸発性液体は，前記放吸熱用熱交換器２８における大気との熱交換にて放熱されるから，前記ペリメータゾーン２を，その所望温度に冷房するように空調できる。
【００５７】
次に，前記第２空調装置８においては，冬季等において大気温度が前記ペリメータゾーン２の所望温度よりも低いときには，その正逆回転式の蒸気圧縮機４２が他方の容器８ｂから一方の容器８ａへの方向に蒸気圧縮を行うように逆正回転される。
【００５８】
これにより，前記第２空調装置８における両容器８ａ，８ｂのうち他方の容器８ｂにおける蒸発性液体は，フラッシュ蒸発にて冷却されたのち放吸熱用熱交換器２８に送られて，ここで大気空気との熱交換で吸熱して温度が高くなって再び前記他方の容器８ｂに戻ってフラッシュ蒸発することを繰り返す一方，前記他方の容器８ｂでのフラッシュ蒸発にて発生した蒸気は，前記蒸気圧縮機４２にて圧縮されたのち一方の容器８ａに至り，この一方の容器８ａにおいて，当該一方の容器８ａと前記ペリメータゾーン２における第２空調用熱交換器６との間を循環する蒸発性液体を暖めるから，前記ペリメータゾーン２を，その所望温度に暖房するように空調することができる。
【００５９】
そして，前記第２空調装置８が前記ペリメータゾーン２を暖房空調しているとき，その他方の容器８ｂと放吸熱用熱交換器２８との間を循環する蒸発性液体には，前記第１空調装置７が前記インテリアゾーン３を冷房空調しているときにその他方の容器７ｂでの蒸気の凝縮にて温度が高くなった蒸発性液体が混合されることにより，その温度が，前記第１空調装置７の他方の容器７ｂにおいて蒸気の凝縮が行われる分だけ上昇して，前記第２空調装置８における他方の容器８ｂ内でのフラッシュ蒸発が促進されることになるから，前記インテリアゾーン３における冷房空調の際に放出される熱を，前記ペリメータゾーン２における暖房空調の際の一部の熱源として熱回収できる。
【００６０】
なお，前記第１空調装置７の第１空調用循環管路１７における空調用一次循環ポンプ１２，空調用二次循環ポンプ１４及び冷却用二次循環ポンプ１８，４６は，その各々における吐出圧力が大気圧を越えないように設定されている。
【００６１】
これにより，前記第１空調用循環管路１７の全体におけるいずれの箇所を，大気圧より低い減圧に維持することができるから，前記第１空調用循環管路１７，前記第１空調用熱交換器４，前記各オフィス機器５及び前記照明器具４５に蒸発性液体の漏れが発生すること，前記第１空調用熱交換器４，前記各オフィス機器５及び前記照明器具４５に対する配管の接続部に蒸発性液体の漏れが発生することを確実に防止できる。
【００６２】
また，前記第２空調装置８の第２空調用循環管路２５における空調用一次循環ポンプ１９，空調用二次循環ポンプ２２は，同様に，その各々における吐出圧力が大気圧を越えないように設定されている。
【００６３】
これにより，前記第２空調用循環管路２５の全体を大気圧より低い減圧に維持することができるから，前記第２空調用循環管路２５及び前記第２空調用熱交換器６に蒸発性液体の漏れが発生すること，前記第２空調用熱交換器６に対する配管の接続部に蒸発性液体の漏れが発生することを確実に防止できる。
【００６４】
そして，図２は，前記インテリアゾーン３に配設した空調用熱交換器（第１空調用熱交換器）４における一つの具体例を示している。
【００６５】
この具体例としての第１空調用熱交換器４′は，前記インテリアゾーン３の天井面又は壁面に沿って並べて配設した複数枚のアルミ等の金属製輻射パネル４ａ′と，この各輻射パネル４ａ′の各々に設けた流体通路４ｂ′から成り，前記各輻射パネル４ａ′における流体通路４ｂ′内に前記第１空調装置７における一方の容器７ａにおける蒸発性液体を流して，前記各輻射パネル４ａ′を冷やすことにより，前記インテリアゾーン３を，熱輻射にて冷房に空調するようにした構成したものである。
【００６６】
この構成の第１空調用熱交換器４′における輻射パネル４ａ′の下面に，前記したようにＬＥＤランプ等を使用した照明器具４５を取付けることができる。この場合，前記照明器具４５は，前記輻射パネル４ａ′との間の熱伝達にて冷却するように構成できるほか，図１に示したように，輻射パネル４ａ′とは別個に冷却するように構成できる。
【００６７】
なお，前記ペリメータゾーン２に配設されている空調用熱交換器（第２空調用熱交換器）６も，前記図２と同様の構成しても良いことはいうまでもない。
【００６８】
次に，図３は，第２の実施の形態を示す。
【００６９】
この第２の実施の形態は，前記第１の実施の形態を前提として，その第１空調装置７における蒸気ダクト３９に，当該蒸気ダクト３９における蒸気圧縮機４０の上流側と下流側とを接続するバイパス通路４３を設け，このバイパス通路４３に，開閉式のバイパス弁４４を設ける。
【００７０】
そして，大気温度が前記ペリメータゾーン２の所望温度よりも高いときには，前記バイパス弁４４を閉じて，前記蒸気圧縮機４０を回転駆動しているが，大気温度が前記ペリメータゾーン２の所望温度よりも低いときには，前記蒸気圧縮機４０を回転駆動を停止して，前記バイパス弁４４を開くというように，いわゆる「フリークリング」に構成したものであり，その他の構成は，前記第１の実施の形態と同様である。
【００７１】
この第２の実施の形態によると，大気温度が前記ペリメータゾーン２の所望温度よりも低い場合には，前記蒸気圧縮機４０の回転駆動を停止するから，省エネルギーが図られる。
【００７２】
その一方で，前記バイパス弁４４が開くことにより，前記一方の容器７ａにおいて発生した蒸気を，前記バイパス通路４３を通って他方の容器７ｂ側に導くことができる。
【００７３】
これにより，前記一方の容器７ａにおけるフラッシュ蒸発が，前記蒸気圧縮機４０の停止によって途絶えることを確実に防止でき，ひいては，前記一方の容器７ａにおけるフラッシュ蒸発による蒸発性液体の冷却を続行できるから，前記第１空調装置７による前記インテリアゾーン３の冷房空調及び／又は各オフィス機器５，５′の冷却を確実に達成することができる。
【００７４】
なお，前記放吸熱用熱交換器２８としては，図示の形式のものに限らず，大気との間で熱交換を行うものであれば，その他の形式のものにすることができることはいうまでもない。
【図面の簡単な説明】
【００７５】
【図１】第１の実施の形態を示す図である。
【図２】第１空調用熱交換器の具体例を示す斜視図である。
【図３】第２の実施の形態を示す図である。
【符号の説明】
【００７６】
１                  オフィスビル
２                  ペリメータゾーン
３                  インテリアゾーン
４，４′            第１空調用熱交換器
５                  オフィス機器
６                  第２空調用熱交換器
７                  第１空調装置
７ａ                第１空調装置の一方の容器
７ｂ                第１空調装置の他方の容器
８                  第２空調装置
８ａ                第２空調装置の一方の容器
８ｂ                第２空調装置の他方の容器
９，１０            真空ポンプ（真空発生手段）
１２，２０          空調用一次循環ポンプ
１４，２２          空調用二次循環ポンプ
１７                第１空調用循環管路
２５                第２空調用循環管路
２８                放吸熱用熱交換器
３９                第１空調装置の蒸気ダクト
４０                第１空調装置の蒸気圧縮機
４１                第２空調装置の蒸気ダクト
４２                第２空調装置の蒸気圧縮機
４４                バイパス弁
４５                照明器具
【図１】
2010043797.tif 000003
【図２】
2010043797.tif 000004
【図３】
2010043797.tif 000005